(57)【要約】【課題】  ホスト装置から送信される印刷データに印刷要求元を判別するデータが付加されていない場合に印刷を許可にするか、或いは不許可にするかを利用者が選択できるようにする。【解決手段】  複数のホスト装置とネットワークで接続され、各ホスト装置から印刷データを受信する画像処理装置１００において、前記ホスト装置から印刷要求元を判別するデータが付加されていない印刷データを受信した場合に、オペレーションパネル９にて前記印刷データの印刷を許可するか、或いは不許可にするかを予め設定でき、前記設定に応じてＣＰＵ２を含む制御部のコンピュータが印刷処理を制御する。【選択図】図１
2008044284.tif 000002
【特許請求の範囲】
【請求項１】
複数のホスト装置から送信される印刷データに基づき印刷を行う画像処理装置において、
前記印刷データに付加される印刷要求元コードで印刷要求元を判別する要求元判別手段と、判別した前記印刷要求元別に画像処理装置の印刷結果を集計する手段と、前記印刷データに前記コードが付加されていないときの印刷の許可・不許可を設定する設定手段と、前記設定に応じて印刷動作を制御する制御手段を備えたことを特徴とする画像処理装置。
【請求項２】
請求項１に記載の画像処理装置において、
前記設定手段で前記不許可に設定されているとき、前記制御手段は印刷データの印刷を行わずに、印刷要求を破棄するように制御することを特徴とする画像処理装置。
【請求項３】
請求項１に記載の画像処理装置において、
前記設定手段で前記許可に設定されているとき、前記制御手段は、印刷を行い、既定のコード、又は利用者が任意に設定したコード、又は前記印刷データに含まれる印刷要求元の固有の情報に基づいて生成したコードのいずれかのコードを前記印刷データに割り当て、印刷結果の集計を行うように制御することを特徴とする画像処理装置。
【請求項４】
複数のホスト装置から送信される印刷データに基づき印刷を行う画像処理装置に用いられる印刷結果の画像処理方法において、
印刷要求元コードが前記印刷データに付加されているか否かを判別する工程と、前記印刷データに前記コードが付加されていないときの印刷の許可・不許可を設定する工程と、前記印刷データに前記コードが付加されているときに印刷の実行を指示し、印刷結果を集計する工程と、前記印刷データに前記コードが付加されていないときの印刷の許可・不許可の設定を判別する工程と、前記判別の結果に応じて印刷動作を制御する工程を備えたことを特徴とする画像処理方法。
【請求項５】
請求項４に記載の画像処理方法において、
前記判別結果に応じて印刷動作を制御する工程では、前記判別結果が前記不許可であるとき、印刷データの印刷を行わずに、印刷要求を破棄するように制御することを特徴とする画像処理方法。
【請求項６】
請求項４に記載の画像処理方法において、
前記判別結果に応じて印刷動作を制御する工程では、前記判別結果が前記許可であるとき、既定のコード、又は利用者が任意に設定したコード、又は前記印刷データに含まれる印刷要求元の固有の情報に基づいて生成したコードのいずれかのコードを前記印刷データに割り当て、印刷の実行を指示し、印刷結果の集計を行うことを特徴とする画像処理方法。
【請求項７】
複数のホスト装置から送信される印刷データに基づき印刷を行う画像処理装置のコンピュータに、印刷要求元コードが前記印刷データに付加されているか否かを判別し、前記印刷データに前記コードが付加されているときに印刷を指示し、印刷結果を集計し、前記印刷データに前記コードが付加されていないときの印刷の許可・不許可の設定を判別し、前記判別の結果に応じて印刷動作を制御する各手順を実行させるためのプログラム。
【請求項８】
請求項７に記載のプログラムにおいて、
前記判別結果が前記不許可であるとき、印刷データの印刷を行わずに、印刷要求の破棄を指示する手順を前記画像処理装置のコンピュータに実行させることを特徴とするプログラム。
【請求項９】
請求項７に記載のプログラムにおいて、
前記判別結果が前記許可であるとき、既定のコード、又は利用者が任意に設定したコード、又は前記印刷データに含まれる印刷要求元の固有の情報に基づいて生成したコードのいずれかのコードを前記印刷データに割り当て、印刷の実行を指示し、印刷結果の集計を行うように制御する各手順を前記画像処理装置のコンピュータに実行させることを特徴とするプログラム。
【発明の詳細な説明】
【技術分野】
【０００１】
本発明は画像処理装置、画像処理方法及びプログラムに関し、詳細には印刷要求を受け付け、その要求元毎に印刷結果の集計管理を行い、前記要求元が特定できない場合の扱いを利用者が設定できる画像処理装置、画像処理方法及びプログラムに関する。
【背景技術】
【０００２】
従来の画像処理装置は、パーソナルコンピュータ等のホスト装置と画像処理装置とが一対一に接続されている場合が多かったが、最近ではネットワーク化が進み、ＬＡＮ（Local Area Network）等により、一台の画像処理装置に対して複数のホスト装置が接続されることが多くなっている。
一台の画像処理装置を複数のホスト装置で共有する場合、特に会社等においては複数の部署やグループが一台の画像処理装置を複数のホスト装置で共有して、各部署やグループが使用しているホスト装置別に印刷用紙等の消耗品の経費の分担を行うことがある。これは、部署やグループ毎に経費の管理を行うため、印刷用紙等の消耗品の経費に関しても、各部署やグループ別に集計して管理を行うことが望ましいためである。
【０００３】
ただ、各部署やグループ別に経費の分担を行う場合、部署及びグループ毎に使用した印刷用紙の枚数を数えたり、印刷を行う度に印刷処理装置に各部署及びグループが管理している印刷用紙をセットしてから印刷データを送信して印刷を行う等の手間が掛かり、印刷用紙等の消耗品の経費の管理をすることは非常に煩わしいという問題があった。
【０００４】
そこで、ネットワークを介して送られてくる複数のホスト装置からのデータを印刷する際に、どのホスト装置からの印刷依頼かを判別し、その判別結果を記憶するようにした画像形成装置が提案された（特許文献１参照）。この画像形成装置では、各ホスト装置が使用した印刷用紙サイズと印刷用紙枚数を各ホスト装置又はグループ毎に区別して集計し、その集計した印刷用紙枚数の１部又は全部を、指定された他のホスト装置または他のグループの集計結果として振り替える機能を有すると共に、上記集計結果をホスト装置又はグループ毎に区別して記憶する。
【０００５】
この画像形成装置では、複数のホスト装置に集計に必要となる識別子を設定し、印刷データと共に前記識別子を受信し、その識別子からホスト装置又は部署等のグループを特定する。次に、印刷処理を行った後、ホスト装置別又はグループ別に、印刷した枚数と使用した用紙のサイズを記憶手段に記憶し、消耗品の課金管理を行う。特許文献１に記載の画像形成装置では、上記のような、印刷用紙等の消耗品の経費の管理を自動的に行うことができ、従来の画像形成装置における煩わしさを解消することができる。
【０００６】
ただ、この画像形成装置では、各ホスト装置を新たにネットワークに接続した際に識別子の設定を行わず、印刷データと共に識別子を送信できない場合や、識別子の設定を行っても、識別子の送信を行わなかった場合等、印刷データと共に識別子が送信されていないと、印刷枚数等の集計を行えないため、印刷データと識別子を再送する要求を出し、識別子を受信するまで印刷は開始されない。
【特許文献１】特許３４６９３９３公報
【発明の開示】
【発明が解決しようとする課題】
【０００７】
しかしながら、識別子を受信しなくても強制的に印刷をするか、それとも印刷を不許可として印刷データを破棄するか等、要求される印刷処理動作は利用者及び利用状況によって異なるため、例えば、ホスト装置別に印刷消耗品の課金管理を厳格に行う場合には、特許文献１に記載の画像形成装置の様に印刷が開始されないことが望ましいが、特に課金管理等を行わない場合は識別子を受信しなくとも、印刷を行えるようにした方が便利な場合がある。このような場合、特許文献１の画像形成装置では、識別子を有さない印刷データの印刷要求に対し印刷を許可するか否かを利用者が選択できないため、利用者の要望に合致した印刷処理動作が実行できないという問題がある。
【０００８】
そこで、本発明は上記の問題を解決するためになされたもので、その目的は、印刷要求を受け付け、その印刷要求元別に印刷枚数等を集計管理する画像処理装置、画像処理方法及びプログラムにおいて、印刷データに印刷要求元を識別するデータが含まれていない場合に印刷を許可するか、或いは不許可にするかを利用者が選択できるようにすることである。
【課題を解決するための手段】
【０００９】
請求項１の発明は、複数のホスト装置から送信される印刷データに基づき印刷を行う画像処理装置において、前記印刷データに付加される印刷要求元コードで印刷要求元を判別する要求元判別手段と、判別した前記印刷要求元別に画像処理装置の印刷結果を集計する手段と、前記印刷データに前記コードが付加されていないときの印刷の許可・不許可を設定する設定手段と、前記設定に応じて印刷動作を制御する制御手段を備えたことを特徴とする。
請求項２の発明は、請求項１に記載の画像処理装置において、前記設定手段で前記不許可に設定されているとき、前記制御手段は印刷データの印刷を行わずに、印刷要求を破棄するように制御することを特徴とする。
請求項３の発明は、請求項１に記載の画像処理装置において、前記設定手段で前記許可に設定されているとき、前記制御手段は、印刷を行い、既定のコード、又は利用者が任意に設定したコード、又は前記印刷データに含まれる印刷要求元の固有の情報に基づいて生成したコードのいずれかのコードを前記印刷データに割り当て、印刷結果の集計を行うように制御することを特徴とする。
請求項４の発明は、複数のホスト装置から送信される印刷データに基づき印刷を行う画像処理装置に用いられる印刷結果の画像処理方法において、印刷要求元コードが前記印刷データに付加されているか否かを判別する工程と、前記印刷データに前記コードが付加されていないときの印刷の許可・不許可を設定する工程と、前記印刷データに前記コードが付加されているときに印刷の実行を指示し、印刷結果を集計する工程と、前記印刷データに前記コードが付加されていないときの印刷の許可・不許可の設定を判別する工程と、前記判別の結果に応じて印刷動作を制御する工程を備えたことを特徴とする。
請求項５の発明は、請求項４に記載の画像処理方法において、前記判別結果に応じて印刷動作を制御する工程では、前記判別結果が前記不許可であるとき、印刷データの印刷を行わずに、印刷要求を破棄するように制御することを特徴とする。
請求項６の発明は、請求項４に記載の画像処理方法において、前記判別結果に応じて印刷動作を制御する工程では、前記判別結果が前記許可であるとき、既定のコード、又は利用者が任意に設定したコード、又は前記印刷データに含まれる印刷要求元の固有の情報に基づいて生成したコードのいずれかのコードを前記印刷データに割り当てて、印刷の実行を指示し、印刷結果の集計を行うことを特徴とする。
請求項７の発明は、複数のホスト装置から送信される印刷データに基づき印刷を行う画像処理装置のコンピュータに、印刷要求元コードが前記印刷データに付加されているか否かを判別し、前記印刷データに前記コードが付加されているときに印刷を指示し、印刷結果を集計し、前記印刷データに前記コードが付加されていないときの印刷の許可・不許可の設定を判別し、前記判別の結果に応じて印刷動作を制御する各手順を実行させるためのプログラム。
請求項８の発明は、請求項７に記載のプログラムにおいて、前記判別結果が前記不許可であるとき、印刷データの印刷を行わずに、印刷要求の破棄を指示する手順を前記画像処理装置のコンピュータに実行させることを特徴とする。
請求項９の発明は、請求項７に記載のプログラムにおいて、前記判別結果が前記許可であるとき、既定のコード、又は利用者が任意に設定したコード、又は前記印刷データに含まれる印刷要求元の固有の情報に基づいて生成したコードのいずれかのコードを前記印刷データに割り当て、印刷の実行を指示し、印刷結果の集計を行うように制御する各手順を前記画像処理装置のコンピュータに実行させることを特徴とする。
【発明の効果】
【００１０】
本発明に係る画像処理装置、画像処理方法及びプログラムによれば、印刷データに印刷要求元を識別するデータが含まれていない場合の印刷の許可・不許可を利用者が設定できるので、利用者の要望に合致した印刷処理動作が実現できる。
【発明を実施するための最良の形態】
【００１１】
以下に本発明の第一及び第二の実施形態を、図を参照して説明する。
まず、第一の実施形態について説明する。図１は、本発明の第一の実施形態に係る画像処理装置の構成を概略的に示すブロック図である。
【００１２】
第一の実施形態における画像処理装置１００は、画像処理装置１００がネットワーク上のホスト装置と接続するためのネットワークインターフェース１と、画像処理装置全体を制御するためのＣＰＵ２と、制御プログラムが記憶されている制御プログラム格納メモリ３と、利用者からの設定情報が記憶される装置設定情報格納メモリ４と、印刷機構である印刷エンジン５と、印刷エンジン５に命令を配信するための印刷エンジンインターフェース６と、印刷データを一時的に保存する画像イメージフレームメモリ７と、ホスト装置毎の印刷枚数等の印刷機使用状況の集計データを記憶する集計情報格納メモリ１２と、利用者が設定を入力するためのオペレーションパネル９と、オペレーションパネル９と入出力するためのオペレーションパネルインターフェース８とからなる。
【００１３】
画像処理装置１００は、ネットワークインターフェース１を介してネットワーク上の全てのホスト装置（例えばパーソナルコンピュータ）から印刷データと、ホスト装置を特定する情報であるユーザコード（例えば、各ホスト装置の固有な８桁の数字）を受信し、その印刷データは一旦、画像イメージフレームメモリ７に保存され、図示しない画像処理部で画像処理され、印刷エンジンインターフェース６を介して印刷エンジン５が作動し、印刷処理を行う。ユーザコードはＣＰＵ２を含む制御部にてユーザコード別に印刷枚数等のデータが整理され、集計情報格納メモリ１２に保存される。
【００１４】
利用者はオペレーションパネル９にて印刷枚数や用紙サイズ等を選択して設定することができる。設定された内容はオペレーションパネルインターフェース８を介して、装置設定情報格納メモリ４に記憶される。次に、ＣＰＵ２を含む制御部は装置設定情報格納メモリ４に記憶された設定情報により、制御プログラム格納メモリ３に格納されているプログラムを選択して実行し、印刷工程を制御する。
【００１５】
ここで、画像処理装置１００とネットワークを介して接続したホスト装置から、印刷データとユーザコードを受信した場合における、画像処理装置１００と外部集計管理装置１０との通信方法について説明する。
図２は画像処理装置１００と外部集計管理装置１０との通信処理を説明するための概念図である。
外部集計管理装置１０の記憶装置にはユーザコードのデータが保存されている管理ユーザリスト１０Ａと、画像処理装置１００から受信した情報を集計して保存する集計リスト１０Ｂが格納されている。まず、画像処理装置１００は印刷データ送信元のホスト装置２００から印刷データを受信する。次に、ユーザコードを抽出して外部集計管理装置１０との通信を確立し、以降は次の手順にて通信が行われる。
【００１６】
（１）画像処理装置１００は、ユーザコードと印刷枚数情報を外部集計管理装置１０へ通知する。
（２）外部集計管理装置１０は、受信した印刷枚数情報をユーザコード別に集計して集計リスト１０Ｂに格納し、格納した旨を画像処理装置１００へ通知する。
（３）画像処理装置１００は、外部集計管理装置１０へ各ユーザコード別の印刷枚数集計情報を問い合わせる。
（４）外部集計管理装置１０は、各ユーザコード別の印刷枚数集計情報、または課金状況を画像処理装置１００へ通知する。
以上の手順で本画像処理装置はユーザコードと印刷枚数を外部集計管理装置１０に通知し、必要な場合には集計情報を得ることができる。
【００１７】
次に、画像処理装置１００が接続しているネットワークの構成例を示した図３を用いて、画像処理装置１００と印刷要求元との通信方法を説明する。画像処理装置１００と外部集計管理装置１０は図１に示すように集計管理装置インターフェース１１を介して接続されており、前述した（１）ないし（４）における手順で相互通信を行う。また、画像処理装置１００はネットワークインターフェース１を介してネットワーク３００と接続しており、ネットワーク３００には更に、印刷要求元であるホスト装置２０１ないし２０３が接続されている。画像処理装置１００はネットワーク３００に接続している全てのホスト装置から印刷データを受信することができる。
【００１８】
一例としてホスト装置２０１から画像処理装置１００へ通信し、画像処理装置１００が印刷処理を行うまでの手順を説明する。
（１）ホスト装置２０１は印刷データを作成し、ユーザコードを印刷データに付加して、画像処理装置１００へ送信する。
（２）画像処理装置１００はホスト装置２０１が送信した印刷データとユーザコードを受信する。
（３）ＣＰＵ２を含む制御部がユーザコードを検出して抽出し、当該ユーザコードと印刷した枚数の情報を外部集計管理装置１０へ通知する。
（４）印刷データを、予め制御プログラム格納メモリ３に格納されている制御プログラムによってＣＰＵ２を含む制御部で演算処理し、印刷イメージフレームメモリ７に展開処理し、印刷エンジンインターフェース６を通じて印刷イメージを印刷エンジン５へ転送し印刷を行う。
以上の手順にて、画像処理装置１００は、ユーザコードが付加された印刷データを受信し、ユーザコードの通知及び印刷データの処理を行う。
【００１９】
次に、既に説明した図３のネットワークの構成例において、画像処理装置１００が各ホスト装置から印刷要求を受けた際、印刷データにユーザコードが付加されていない場合における、画像処理装置１００の処理動作の設定について説明する。
利用者は各ホスト装置２０１ないし２０３をネットワーク３００に接続する際に、各ホスト装置２０１ないし２０３のユーザコードを画像処理装置１００に登録設定を行う。前記ユーザコードはホスト装置ごとに固有のコードを設定してもよいし、グループの複数のホスト装置に一つのユーザコードを設定してもよい。また、利用者が直接ユーザコードの登録設定を行わず、自動的にユーザコードが割り当てられるように設定してもよい。
【００２０】
しかし、例えば各ホスト装置を新たにネットワークに接続した際にユーザコードの設定を行わず、ユーザコードが付加されていない印刷データを画像処理装置１００に送信してしまう場合や、ユーザコードの設定を行っても印刷データにユーザコードを付加せずに送信してしまう場合等に備え、本実施形態では予め利用者はユーザコードが付加されていない印刷データの実行の許可・不許可を設定しておき、それに従って印刷装置が以下に示すような印刷制御を行う。
【００２１】
受信した印刷データの印刷を許可しない設定を以下設定（ａ）という。
印刷データを受信しても、自動的に印刷要求を破棄し、印刷を行わない。
【００２２】
受信した印刷データの印刷を許可する設定を以下設定（ｂ）という。
（ｂ−１）ユーザコードを装置で予め決めている固定的なコード、例えば「９９９９９９９９」の様なものに割り当て、ユーザコードが付加されている場合と同様に印刷を実行し、印刷した枚数の情報と代替ユーザコードを外部集計管理装置１０に通知し、印刷要求元不明として集計させる。なお、このときの「９９９９９９９９」は特殊なユーザコードとして扱い、各要求元のホスト装置へ割り当てられないユーザコードとして運用することでユーザコードが付加されていなかったホスト装置からの印刷要求であることを識別し管理することができる。
（ｂ−２）利用者がオペレーションパネル９からの入力操作で印刷操作開始前に任意のユーザコードを設定して割り当て、印刷を行う。ただし、この操作は管理者用としてパスワード等で操作者を限定できるようにする。
（ｂ−３）印刷データに付加されるユーザコード以外の、要求元固有となるような情報をユーザコードとして適当に割り当て、ユーザコードが付加されている場合と同様に印刷は実行する。
例えば、ユーザコードを１３桁の数字とした場合で印刷データにデータ送出元のＩＰ（Internet Protocol）アドレスが含まれている場合は最上位の１桁を９（この場合の９はＩＰアドレスを代替元情報としたことを示す）とし、下位の１２桁にＩＰアドレスを１０進数で表現した値を連結した１２桁にするといったものである。その他ユーザコードを英数字で運用する場合には、代替元情報は要求元ホスト装置のＭＡＣ(Media Access Control)アドレスやホスト名、またホストにログインしているログイン名などの要求元が識別することができる情報を利用する。
【００２３】
上記の設定内容は、予め制御プログラム格納メモリ３に記憶されているプログラムを選択するのみで実行することができる。オペレーションパネル９には前述した設定（ａ）または設定（ｂ）の内容が簡潔に表示され、それを見て利用者は設定を行う。
【００２４】
画像処理装置１００が印刷データを受信し、ユーザコードが付加されているか否かによって異なる印刷制御を行う場合について説明する。図４は、各ホスト装置から印刷データを受信した際の画像処理装置１００が行う印刷制御を示したフロー図である。なお、当該フロー図に従った処理を実行させるためのプログラムは制御プログラム格納メモリ３に保存されており、画像形成装置１００のＣＰＵ２を含む制御部のコンピュータで、以下説明する各処理を実行する。
【００２５】
まず、ホスト装置から印刷データを受信し（Ｓ１０１）、その印刷データにユーザコードが付加されているか否かを判断する（Ｓ１０２）。ユーザコードが付加されている場合は（Ｓ１０２、ＹＥＳ）、印刷を実行し（Ｓ１０７）、既に説明した図２について説明した手順で外部集計管理装置１０にユーザコードと印刷枚数を通知する（Ｓ１０８）。ユーザコードが付加されていない場合は（Ｓ１０２、ＮＯ）、装置設定情報格納メモリ４から、利用者が設定した設定情報を参照し（Ｓ１０３）、印刷を許可する設定か否か、すなわち前述した設定（ａ）か、設定（ｂ）かを判断する。
【００２６】
印刷を許可しない設定、すなわち前述した設定（ａ）である場合は、印刷要求を破棄して印刷を終了する。
印刷を許可する設定、すなわち前述した設定（ｂ）である場合は、それぞれの（ｂ−１）ないし（ｂ−３）で説明した代替ユーザコードを当該印刷データに割り当てる（Ｓ１０６）。代替ユーザコードが付加された印刷データの印刷を指示し（Ｓ１０７）、印刷終了後、外部集計管理装置１０にユーザコードと印刷結果である印刷枚数を通知する（Ｓ１０８）。
以上の手順で画像処理装置１００は、印刷データにユーザコードが付加されているか否かの判断を行い、ユーザコードが付加されていない場合に利用者の設定に応じて、代替ユーザコードの割り当て方法の制御、及び印刷を行うか否かの制御を行い、ユーザコード別の印刷結果の集計管理を行う。
【００２７】
次に第二の実施形態について説明する。図５は、本発明の第二の実施形態に係る画像処理装置の構成を概略的に示すブロック図である。
第二の実施形態は、基本的に第一の実施形態と同一であるが、第一の実施形態中の外部集計管理装置１０及び集計管理インターフェース１１が異なる。第二の実施形態は、第一の実施形態の外部集計管理装置１０に代わって、集計情報格納メモリ１２を内蔵している。これにより、第一の実施形態のように外部集計管理装置１０を別途備えて集計管理インターフェース１１にて画像処理装置１００と接続する必要が無く、よりコンパクトな形態となっている。
【００２８】
第一の実施形態について、図３で説明したホスト装置との通信手段や、ユーザコードを受信しなかった場合の設定及び図４のフロー図で説明した印刷制御方法等は第二の実施形態にも全く同様に適用できるため、説明は省略する。
【図面の簡単な説明】
【００２９】
【図１】集計手段が外部接続されている本発明の第一の実施形態に係る画像処理装置の構成を概略的に示すブロック図である。
【図２】本発明の実施形態に係る画像処理装置１００と外部集計管理装置１０との通信例を示した図である。
【図３】本発明の実施形態に係る画像処理装置１００が接続しているネットワークの構成例を示した図である。
【図４】本発明の実施形態に係る各ホスト装置２０１ないし２０３から印刷データを受信した際に画像処理装置１００が行う印刷制御を示したフロー図である。
【図５】集計手段が内蔵されている本発明の第二の実施形態に係る画像処理装置の構成を概略的に示すブロック図である。
【符号の説明】
【００３０】
１・・・ネットワークインターフェース、２・・・ＣＰＵ、３・・・制御プログラム格納メモリ、４・・・装置設定情報格納メモリ、５・・・印刷エンジン、６・・・印刷エンジンインターフェース、７・・・画像イメージフレームメモリ、８・・・オペレーションパネルインターフェース、９・・・オペレーションパネル、１０・・・外部集計管理装置、１０Ａ・・・管理ユーザリスト、１０Ｂ・・・集計リスト、１１・・・集計管理装置インターフェース、１２・・・集計情報格納メモリ、１００・・・画像処理装置、２００〜２０３・・・ホスト装置、３００・・・ネットワーク。
【図１】
2008044284.tif 000003
【図２】
2008044284.tif 000004
【図３】
2008044284.tif 000005
【図４】
2008044284.tif 000006
【図５】
2008044284.tif 000007